(57)【要約】 【課題】  光ガイドユニットと光源との間の離隔間隔を減少させ光源から出射された光の損失量を減少させる表示装置用収納容器、それを有するバックライトアセンブリ及び表示装置、並びにバックライトアセンブリの光損失減少方法を提供する。【解決手段】光ガイドユニットと、該光ガイドユニットの側面に配置される光発生ユニットとを収納する表示装置用収納容器において、前記光ガイドユニットが配置される底板と、前記光ガイドユニットの側面と向き合い前記底板の周辺部に配置された側壁と、前記側壁または底板に形成され、前記光発生ユニットと光ガイドユニットの側面との間の離隔間隔を減少させる間隔調節部とを有する。【選択図】      図９
2007171962.tif 000002
【特許請求の範囲】
【請求項１】
光ガイドユニットと、該光ガイドユニットの側面に配置される光発生ユニットとを収納する表示装置用収納容器において、
前記光ガイドユニットが配置される底板と、
前記光ガイドユニットの側面と向き合い前記底板の周辺部に配置された側壁と、
前記側壁または底板に形成され、前記光発生ユニットと光ガイドユニットの側面との間の離隔間隔を減少させる間隔調節部とを有することを特徴とする表示装置用収納容器。
【請求項２】
前記間隔調節部は、前記側壁から突出され、前記光発生ユニットを前記光ガイドユニットの側面に向かう方向に加圧する突起であることを特徴とする請求項１に記載の表示装置用収納容器。
【請求項３】
前記突起は、前記底板に垂直な方向及び前記光ガイドユニットの側面に垂直な方向に前記光発生ユニットを支持するキャッチングジョー（ｃａｔｃｈｉｎｇ  ｊａｗ）面と、
前記底板に対して傾斜するように形成され、前記光発生ユニットを前記キャッチングジョー面までガイドするガイド面とを含むことを特徴とする請求項２に記載の表示装置用収納容器。
【請求項４】
前記光発生ユニットは、電源印刷回路フィルムと、該電源印刷回路フィルムに実装される光源とを含むことを特徴とする請求項１に記載の表示装置用収納容器。
【請求項５】
前記光源は、発光ダイオードを含むことを特徴とする請求項４に記載の表示装置用収納容器。
【請求項６】
前記電源印刷回路フィルムにはホール（ｈｏｌｅ）が形成され、
前記間隔調節部は、前記側壁上部から突出され前記ホールが挿入されるガイドボス（ｇｕｉｄｉｎｇ  ｂｏｓｓ）であることを特徴とする請求項４に記載の表示装置用収納容器。
【請求項７】
前記ガイドボスは、前記側壁に向かって傾いていることを特徴とする請求項６に記載の表示装置用収納容器。
【請求項８】
光ガイドユニットと、
電源印刷回路フィルムと、該電源印刷回路フィルムに実装された光源を含み、前記光ガイドユニットの側面に配置される光発生ユニットと、
前記光ガイドユニットが配置される底板と、該底板の周辺部に配置される側壁と、前記側壁または底板に形成され前記光発生ユニットと光ガイドユニットの側面との間の離隔間隔を減少させる間隔調節部とを含む収納容器とを有することを特徴とするバックライトアセンブリ。
【請求項９】
前記間隔調節部は、前記側壁側部から突出され前記光源に接触する突起であることを特徴とする請求項８に記載のバックライトアセンブリ。
【請求項１０】
前記側壁には前記光源が配置される収容溝が前記光ガイドユニットの側面から前記側壁に向かう方向に形成され、前記突起は前記収容溝の基底部に形成されることを特徴とする請求項９に記載のバックライトアセンブリ。
【請求項１１】
前記突起は、前記底板に対して傾いて形成され前記光源をガイドするガイド面と、
前記ガイド面によってガイドされた前記光源を固定させるキャッチングジョー面とを含むことを特徴とする請求項９に記載のバックライトアセンブリ。
【請求項１２】
前記電源印刷回路フィルムの一部は、前記光ガイドユニットの縁部と重なっていることを特徴とする請求項９に記載のバックライトアセンブリ。
【請求項１３】
前記電源印刷回路フィルムは前記底板の背面に配置され、前記底板には前記光源が挿入される光源用開口が形成されることを特徴とする請求項９に記載のバックライトアセンブリ。
【請求項１４】
前記光源は、前記光ガイドユニットの側面に接触することを特徴とする請求項９に記載のバックライトアセンブリ。
【請求項１５】
前記光源は、光発生部と、該光発生部を収納する保護カバーとを含むことを特徴とする請求項９に記載のバックライトアセンブリ。
【請求項１６】
前記間隔調節部は、前記側壁上部から突出され前記光発生ユニットを前記光ガイドユニット方向に加圧する突起であることを特徴とする請求項８に記載のバックライトアセンブリ。
【請求項１７】
前記電源印刷回路フィルムにはホールが形成され、
前記間隔調節部は、前記側壁上部から突出され前記ホールが挿入されるガイドボスであることを特徴とする請求項１６に記載のバックライトアセンブリ。
【請求項１８】
前記ガイドボスは、前記側壁に向かって傾いていることを特徴とする請求項１７に記載のバックライトアセンブリ。
【請求項１９】
前記側壁には複数個の前記光源がそれぞれ配置される収容溝が前記光ガイドユニットの側面から前記側壁に向かう方向に形成され、
前記ガイドボスは前記収容溝の間の位置に対応する前記側壁の上部に形成されることを特徴とする請求項１８に記載のバックライトアセンブリ。
【請求項２０】
前記間隔調節部は、前記光源に対応して前記側壁に形成されるガイド溝であることを特徴とする請求項８に記載のバックライトアセンブリ。
【請求項２１】
前記ガイド溝は、前記光ガイドユニットの側面方向に面するように形成され、前記光源が接触する前記ガイド溝の基底面は、前記光源を前記光ガイドユニットの側面に向かってガイドするように傾斜して形成されることを特徴とする請求項２０に記載のバックライトアセンブリ。
【請求項２２】
前記基底面に接触する前記光源の端部には前記基底面と接面する傾斜面が形成されることを特徴とする請求項２１に記載のバックライトアセンブリ。
【請求項２３】
前記光ガイドユニットの側面には、前記光源に対応する位置に光拡散パターンが形成されることを特徴とする請求項８に記載のバックライトアセンブリ。
【請求項２４】
光ガイドユニットと、光源と該光源が実装される電源印刷回路フィルムとを含み前記光ガイドユニットの側面に配置される光発生ユニットとを含むバックライトアセンブリと、
前記光ガイドユニットが配置される底板と、前記底板の周辺部に配置される側壁と、前記光源と光ガイドユニットの側面との間の離隔間隔を減少させる間隔調節部とを含む収納容器と、
前記光ガイドユニット上に配置される表示パネルとを有することを特徴とする表示装置。
【請求項２５】
前記間隔調節部は、前記側壁から突出され、前記底板に垂直な方向及び前記光ガイドユニットの側面に垂直な方向に前記光源を支持するキャッチングジョー面と、
前記光源を前記キャッチングジョー面までガイドするガイド面とを含むことを特徴とする請求項２４に記載の表示装置。
【請求項２６】
前記電源印刷回路フィルムは、前記光源と表示パネルとの間に配置されることを特徴とする請求項２４に記載の表示装置。
【請求項２７】
前記光ガイドユニットと表示パネルとの間に配置される光学シートをさらに有し、
前記側壁には、前記表示パネルを支持する段差部が形成されることを特徴とする請求項２４に記載の表示装置。
【請求項２８】
収納容器に収容される光ガイドユニットの光入射面に隣接した前記収納容器の側壁から突出される間隔調節部上から光源を含む光発生ユニットを滑り込ませる段階と、
前記間隔調節部によって前記光源を前記光ガイドユニットの光入射面に隣接する位置に保持して前記光源と前記光入射面との間隔を減少させる段階とを有することを特徴とするバックライトアセンブリの光損失減少方法。
【請求項２９】
前記光発生ユニットを滑り込ませる段階は、前記光源を前記間隔調節部のガイド面上から滑り込ませる段階を含み、前記光源を滑り込ませることにより前記光源が前記光入射面に近く移動するように前記ガイド面が前記光入射面に対して傾いていることを特徴とする請求項２８に記載のバックライトアセンブリの光損失減少方法。
【請求項３０】
前記光源を前記間隔調節部上から滑り込ませた後、前記間隔調節部のキャッチングジョーによって前記光源を固定する段階をさらに有することを特徴とする請求項２９に記載のバックライトアセンブリの光損失方法。
【請求項３１】
前記光発生ユニットを滑り込ませる段階は、前記光発生ユニット内の印刷回路フィルムに形成されたホールに前記間隔調節部に形成された傾斜したガイドボスを通して結合させる段階を含み、前記印刷回路フィルムが前記傾斜したガイドボスを通して結合されることにより前記光源が前記光入射面に近く移動することを特徴とする請求項２８に記載のバックライトアセンブリの光損失方法。
【発明の詳細な説明】
【技術分野】
【０００１】
本発明は表示装置用収納容器、それを有するバックライトアセンブリ及び表示装置、並びにバックライトアセンブリの光損失減少方法に関し、より詳細には、光源から出射された光の損失を減少させる表示装置用収納容器、それを有するバックライトアセンブリ及び表示装置、並びにバックライトアセンブリの光損失減少方法に関する。
【背景技術】
【０００２】
一般的に、液晶表示装置はパソコン、ノートブックコンピュータ、自動車航法システム、ＴＶセットなどに装着され電気的フォマット形態を有する情報を画像に表示する。液晶表示装置は重さが軽くて嵩の小さい長所を有するので最近幅広く使用されている。
【０００３】
液晶表示装置は光量の不足するところでも画像を表示するために表示パネルに光を提供するバックライトアセンブリを含む。近年では、液晶表示装置の嵩、厚さ及び重さを減少させる研究が継続して行われており、表示装置の消費電力減少及び表示品質の向上のために光利用効率を向上させる努力が進行している。バックライトアセンブリは表示装置の嵩、厚さ及び重さの大部分を占めているのでバックライトアセンブリの嵩、厚さ及び重さの減少と消費電力減少及び出射光の輝度向上の問題は液晶表示装置の技術的及びデザイン競争力に直結する。
【０００４】
一方、携帯電話及びＰＤＡに搭載されるような中小型液晶表示装置、特に、モバイル用液晶表示装置はバックライトアセンブリの光源として消費電力量が小さく、嵩及び重さが軽いという長所を有する発光ダイオードＬＥＤを含む。
【０００５】
近年、高輝度の光を出射する発光ダイオードが提供されバックライトアセンブリ及び表示装置の輝度向上の問題はある程度改善されたところである。しかし、発光ダイオードの光利用効率が充分に向上されなく、それにより、バックライトアセンブリ及び表示装置の消費電力が増加するという問題点がある。
【０００６】
光利用効率が低下される問題は従来のモバイル液晶表示装置の構造に起因して発生する。具体的には、モバイル用液晶表示装置は発光ダイオードから出射された光をガイドして表示パネルに出射する光ガイドユニットを含む。発光ダイオードは光ガイドユニットの一側面に配置され、発光ダイオードから出射された光は側面に入射し一部が反射され損失される。光ガイドユニットの側面と発光ダイオードとの間の離隔間隔が増加するほど光の損失量は増加する。
【０００７】
従って、発光ダイオードの出光部が光ガイドユニットの側面に密着することが望ましく、発光ダイオードの出光部と光ガイドユニットの側面との間の離隔間隔を約１ｍｍ以下に設計している。しかし、バックライトアセンブリを構成する部品の製造上の公差によって発光ダイオードの出光部と光ガイドユニットの側面との間の離隔間隔が設計寸法を離れることが発生する。
【０００８】
具体的には、発光ダイオードが実装される電源印刷回路フィルムをカッティングする工程で発生する電源印刷回路フィルムのカッティング公差、電源印刷回路フィルムが収納される収納容器の寸法公差及び光ガイドユニットの射出成形の際に発生する射出成形公差などに起因して発光ダイオードと光ガイドユニットの側面が設計寸法より大きく離隔される。その結果、発光ダイオードから出射された光の相当量が光ガイドユニットによってガイドされなく損失されバックライトアセンブリ及びそれを含む表示装置の消費電力が増加するという問題点があった。
【発明の開示】
【発明が解決しようとする課題】
【０００９】
そこで、本発明は上記従来の表示装置用収納容器における問題点に鑑みてなされたものであって、本発明の目的は、光ガイドユニットと光源との間の離隔間隔を減少させ光源から出射された光の損失量を減少させる表示装置用収納容器を提供することにある。
【００１０】
本発明の他の目的は、上記表示装置用収納容器を含み、光ガイドユニットから出射される光量が増加するバックライトアセンブリを提供することにある。
本発明のさらに他の目的は、上記表示装置用収納容器を含み、表示品質が向上する表示装置を提供することにある。
本発明のさらに他の目的は、表示品質を向上させるためのバックライトアセンブリの光損失減少方法を提供することにある。
【課題を解決するための手段】
【００１１】
上記目的を達成するためになされた本発明による表示装置用収納容器は、光ガイドユニットと、該光ガイドユニットの側面に配置される光発生ユニットとを収納する表示装置用収納容器において、前記光ガイドユニットが配置される底板と、前記光ガイドユニットの側面と向き合い前記底板の周辺部に配置された側壁と、前記側壁または底板に形成され、前記光発生ユニットと光ガイドユニットの側面との間の離隔間隔を減少させる間隔調節部とを有することを特徴とする。
【００１２】
前記間隔調節部は、前記側壁から突出され、前記光発生ユニットを前記光ガイドユニットの側面に向かう方向に加圧する突起であることが好ましい。
前記突起は、前記底板に垂直な方向及び前記光ガイドユニットの側面に垂直な方向に前記光発生ユニットを支持するキャッチングジョー（ｃａｔｃｈｉｎｇ  ｊａｗ）面と、前記底板に対して傾斜するように形成され、前記光発生ユニットを前記キャッチングジョー面までガイドするガイド面とを含むことが好ましい。
【００１３】
光発生ユニットは、電源印刷回路フィルムと、該電源印刷回路フィルムに実装される光源とを含むことが好ましい。
前記光源は、発光ダイオードを含むことが好ましい。
前記電源印刷回路フィルムにはホール（ｈｏｌｅ）が形成され、
前記間隔調節部は、前記側壁上部から突出され前記ホールが挿入されるガイドボス（ｇｕｉｄｉｎｇ  ｂｏｓｓ）であることが好ましい。
前記ガイドボスは、前記側壁に向かって傾いていることが好ましい。
【００１４】
上記目的を達成するためになされた本発明によるバックライトアセンブリは、光ガイドユニットと、電源印刷回路フィルムと、該電源印刷回路フィルムに実装された光源を含み、前記光ガイドユニットの側面に配置される光発生ユニットと、前記光ガイドユニットが配置される底板と、該底板の周辺部に配置される側壁と、前記側壁または底板に形成され前記光発生ユニットと光ガイドユニットの側面との間の離隔間隔を減少させる間隔調節部とを含む収納容器とを有することを特徴とする。
【００１５】
前記間隔調節部は、前記側壁側部から突出され前記光源に接触する突起であることが好ましい。
前記側壁には前記光源が配置される収容溝が前記光ガイドユニットの側面から前記側壁に向かう方向に形成され、前記突起は前記収容溝の基底部に形成されることが好ましい。
前記突起は、前記底板に対して傾いて形成され前記光源をガイドするガイド面と、前記ガイド面によってガイドされた前記光源を固定させるキャッチングジョー面とを含むことが好ましい。
前記電源印刷回路フィルムの一部は、前記光ガイドユニットの縁部と重なっていることが好ましい。
前記電源印刷回路フィルムは前記底板の背面に配置され、前記底板には前記光源が挿入される光源用開口が形成されることが好ましい。
前記光源は、前記光ガイドユニットの側面に接触することが好ましい。
前記光源は、光発生部と、該光発生部を収納する保護カバーとを含むことが好ましい。
【００１６】
また、前記間隔調節部は、前記側壁上部から突出され前記光発生ユニットを前記光ガイドユニット方向に加圧する突起であることが好ましい。
前記電源印刷回路フィルムにはホールが形成され、前記間隔調節部は、前記側壁上部から突出され前記ホールが挿入されるガイドボスであることが好ましい。
前記ガイドボスは、前記側壁に向かって傾いていることが好ましい。
前記側壁には複数個の前記光源がそれぞれ配置される収容溝が前記光ガイドユニットの側面から前記側壁に向かう方向に形成され、前記ガイドボスは前記収容溝の間の位置に対応する前記側壁の上部に形成されることが好ましい。
【００１７】
また、前記間隔調節部は、前記光源に対応して前記側壁に形成されるガイド溝であることが好ましい。
前記ガイド溝は、前記光ガイドユニットの側面方向に面するように形成され、前記光源が接触する前記ガイド溝の基底面は、前記光源を前記光ガイドユニットの側面に向かってガイドするように傾斜して形成されることが好ましい。
前記基底面に接触する前記光源の端部には前記基底面と接面する傾斜面が形成されることが好ましい。
前記光ガイドユニットの側面には、前記光源に対応する位置に光拡散パターンが形成されることが好ましい。
【００１８】
上記目的を達成するためになされた本発明による表示装置は、光ガイドユニットと、光源と該光源が実装される電源印刷回路フィルムとを含み前記光ガイドユニットの側面に配置される光発生ユニットとを含むバックライトアセンブリと、前記光ガイドユニットが配置される底板と、前記底板の周辺部に配置される側壁と、前記光源と光ガイドユニットの側面との間の離隔間隔を減少させる間隔調節部とを含む収納容器と、前記光ガイドユニット上に配置される表示パネルとを有することを特徴とする。
【００１９】
前記間隔調節部は、前記側壁から突出され、前記底板に垂直な方向及び前記光ガイドユニットの側面に垂直な方向に前記光源を支持するキャッチングジョー面と、前記光源を前記キャッチングジョー面までガイドするガイド面とを含むことが好ましい。
前記電源印刷回路フィルムは、前記光源と表示パネルとの間に配置されることが好ましい。
前記光ガイドユニットと表示パネルとの間に配置される光学シートをさらに有し、前記側壁には、前記表示パネルを支持する段差部が形成されることが好ましい。
【００２０】
上記目的を達成するためになされた本発明によるバックライトアセンブリの光損失減少方法は、収納容器に収容される光ガイドユニットの光入射面に隣接した前記収納容器の側壁から突出される間隔調節部上から光源を含む光発生ユニットを滑り込ませる段階と、前記間隔調節部によって前記光源を前記光ガイドユニットの光入射面に隣接する位置に保持して前記光源と前記光入射面との間隔を減少させる段階とを有することを特徴とする。
【００２１】
前記光発生ユニットを滑り込ませる段階は、前記光源を前記間隔調節部のガイド面上から滑り込ませる段階を含み、前記光源を滑り込ませることにより前記光源が前記光入射面に近く移動するように前記ガイド面が前記光入射面に対して傾いていることが好ましい。
前記光源を前記間隔調節部上から滑り込ませた後、前記間隔調節部のキャッチングジョーによって前記光源を固定する段階をさらに有することが好ましい。
前記光発生ユニットを滑り込ませる段階は、前記光発生ユニット内の印刷回路フィルムに形成されたホールに前記間隔調節部に形成された傾斜したガイドボスを通して結合させる段階を含み、前記印刷回路フィルムが前記傾斜したガイドボスを通して結合されることにより前記光源が前記光入射面に近く移動することが好ましい。
【発明の効果】
【００２２】
本発明に係る表示装置用収納容器、それを有するバックライトアセンブリ及び表示装置、並びにバックライトアセンブリの光損失減少方法によれば、収納容器に形成された突起、ガイドボス及びガイド溝のような間隔調節部によって発光ダイオードを光ガイドユニットの側面に向かって加圧する。それにより、発光ダイオードと光ガイドユニットの側面と間との離隔間隔が設計寸法以下に保持されるという効果がある。
【００２３】
従って、収納容器を含むバックライトアセンブリの出射光の輝度が向上され、光損失量の減少により消費電力が節減される。その結果、収納容器を含む表示装置の消費電力が節減され、輝度向上され表示品質が向上されるという効果がある。
【発明を実施するための最良の形態】
【００２４】
次に、本発明に係る表示装置用収納容器、それを有するバックライトアセンブリ及び表示装置、並びにバックライトアセンブリの光損失減少方法を実施するための最良の形態の具体例を図面を参照しながら説明する。
【００２５】
〔表示装置用収納容器〕
図１は、本発明の一実施形態による表示装置用収納容器の斜視図である。
【００２６】
表示装置用収納容器３０は光ガイドユニットと、電源印刷回路フィルムに実装され光ガイドユニットの側面に配置される光源（含む点光源）を収納する。
【００２７】
図１を参照すると、収納容器３０は底板３１、第１乃至第４側壁３３、３５、３７、３９及び間隔調節部４０を含む。
【００２８】
底板３１にはプレート形状の光ガイドユニットが配置され、底板３１の内側には収納容器３０の重さを減少させるために開口が形成される。第１乃至第４側壁３３、３５、３７、３９は光ガイドユニットの側面と向き合うように底板３１の周辺部に配置される。第１及び第２側壁３３、３５は互いに対向して配置され、第３及び第４側壁３７、３９は互いに対向し第１側壁３３及び第２側壁３５をそれぞれ連結する。
第１乃至第４側壁３３、３５、３７、３９の内側には段差部３２が形成される。段差部３２に起因して第１乃至第４側壁３３、３５、３７、３９の外側部は内側部より高い高さを有する。
【００２９】
第１側壁３３の外側部には、段差部３２の上部から第１側壁３３の内側、第１側壁３３の上端部及び第１側壁３３の外側に沿って溝が形成される。また、第１側壁３３の内側部の段差部３２には光ガイドユニットの側面から第１側壁３３に向かう方向に収容溝３４が形成される。収容溝３４には光源が光ガイドユニットの側面と向き合うように配置される。
【００３０】
図２は図１に示す‘Ａ’領域の拡大図である。図３は図１に示す表示装置用収納容器をＩ−Ｉ’線に沿って切断した断面図である。
【００３１】
図２及び図３を参照すると、間隔調節部４０は収容溝３４の基底部から光ガイドユニットの側面に向かって突出された突起４０である。突起４０はキャッチングジョー面４１及びガイド面４３を含む。
【００３２】
ガイド面４３はガイド面４３に沿って底板３１に向かって移動するほど光ガイドユニットの側面に近接するように底板３１に対して傾斜するように形成される。キャッチングジョー面４１はガイド面４３の端部から側壁方向に延長され、さらに底板３１方向に延長され、底板３１に面する面と光ガイドユニットの側面に面する面を有する。
【００３３】
光源は収納容器３０の上部から収容溝３４に挿入される。この際、光源はガイド面４３に沿って滑り込まされ、キャッチングジョー面４１で停止される。キャッチングジョー面４１は光源を底板３１に垂直な方向及び光ガイドユニットの側面に垂直な方向に対してその位置を固定させる。
【００３４】
即ち、突起４０は光源が収容溝３４に挿入される過程で光源を光ガイドユニットの側面に向かって加圧する。それにより、光源と光ガイドユニットの側面との間の離隔間隔は設計寸法以下に保持される。
【００３５】
図４は本発明の他の実施形態による表示装置用収納容器の斜視図である。図５は図４に示す表示装置用収納容器をＩＩ−ＩＩ’線に沿って切断した断面図である。
【００３６】
図４及び図５を参照すると、収納容器５０は底板５１、第１乃至第４側壁５３、５５、５７、５９及び間隔調節部６０を含む。
【００３７】
収納容器５０は間隔調節部６０を除いて図１乃至図３に示した収納容器３０と実質的に同一である。
【００３８】
間隔調節部６０は図４に示すように収容溝５４には形成されなく、第１乃至第４側壁５３、５５、５７、５９の内側に形成された段差部５２のうち、第１側壁５３に対応する段差部５２上に形成される。
【００３９】
間隔調節部６０は、図４及び図５に示すように、段差部５２から突出されたガイドボス（ｇｕｉｄｉｎｇ  ｂｏｓｓ）６０である。ガイドボス６０は収容溝５４の間に対応する位置の段差部５２上に形成され、光ガイドユニットから第１側壁５３に向かう方向に傾いて突出される。
【００４０】
光源が実装される電源印刷回路フィルムにはガイドボス６０が挿入されるホール（ｈｏｌｅ）が形成される。ガイドボス６０が上述したように傾いて形成されるので、ホールにガイドボース６０が挿入され電源印刷回路フィルムがガイドボス６０の下端に移動することにより、電源印刷回路フィルムは光ガイドユニットに向かう方向に所定距離移動する。その結果、光源は光ガイドユニットの側面により近接して配置される。
【００４１】
〔バックライトアセンブリ〕
図６は本発明の第１の実施形態によるバックライトアセンブリの斜視図である。図７は図６に示すバックライトアセンブリの分解斜視図である。図８は図７に示すバックライトアセンブリを他の角度から観察した分解斜視図である。
【００４２】
図６及び図７を参照すると、バックライトアセンブリ１００は光ガイドユニット１１０、光発生装置１２０及び収納容器１３０を含む。
【００４３】
光ガイドユニット１１０は後述する光発生装置１２０から提供された光をガイドして出射する。光ガイドユニット１１０は光透過性、耐熱性、耐化学性及び機械的強度などの優れた光散乱導光体からなることが望ましい。光散乱導光体の例としてはポリメチルメタクリレート、ポリアミド、ポリイミド、ポリプロピレン及びポリウレタンなどを挙げることができる。
【００４４】
光ガイドユニット１１０はプレート形状を有し出光面１１１、対向面及び第１乃至第４側面１１３、１１５、１１７、１１９を含む。出光面１１１及び対向面は互いに対向して配置される。第１乃至第４側面１１３、１１５、１１７、１１９は出光面１１１と対向面をそれぞれ連結する。第１側面１１３及び第２側面１１５は互いに対向して配置される。第１側面１１３には、図８に示すように、入射光を拡散させる光拡散パターン１１４が形成される。第３側面１１７と第４側面１１９は互いに対向して配置され第１側面１１３及び第２側面１１５をそれぞれ連結する。
【００４５】
第１側面１１３を通じて光ガイドユニット１１０の内部に導入された光は光ガイドユニット１１０の内部で反復して反射及び拡散され第２側面１１５まで伝播される。出光面１１１の出射条件が満足されるとガイドされた光は出光面１１１を通じて出射される。
【００４６】
他の実施形態として、光ガイドユニット１１０は第１側面１１３から遠くなるほど光ガイドユニット１１０の厚さが減少するウェッジ形状を有することもできる。
【００４７】
光発生装置１２０は光ガイドユニット１１０に光を提供する。光発生装置１２０は光源１２１及び電源印刷回路フィルム１２５を含む。光源１２１は嵩及び重さが小さく消費電力の小さい発光ダイオード１２１である。発光ダイオード１２１は光発生部及び外部ケースを含む。光発生部は外部ケースに内蔵される。電源印刷回路フィルム１２５は光ガイドユニット１１０の第１側面１１３の長さ方向に延長され、一側端部から分枝が出され外部の電源供給部（図示せず）に連結される。
発光ダイオード１２１は電源印刷回路フィルム１２５に実装され、光発生部の電極端子は電源印刷回路フィルム１２５に形成された導電パターンに電気的に連結される。電源印刷回路フィルム１２５は外部の電源供給部から発光ダイオード１２１に駆動電流を印加する。駆動電流の印加を受けた発光ダイオード１２１は直進性の強い光を出射する。発光ダイオード１２１は電源印刷回路フィルム１２５の背面に３個が実装され光ガイドユニット１１０の第１側面１１３のうち光拡散パターン１１４と向き合う位置に配置される。
また、他の方法として、電源印刷回路フィルム１２５は発光ダイオード１２１と収納容器１３０の第１側壁１３３との間に位置することもできる。
【００４８】
収納容器１３０は光ガイドユニット１１０及び光発生装置１２０を収納する。収納容器１３０は底板１３１、第１乃至第４側壁１３３、１３５、１３７、１３９及び間隔調節部１４０を含む。収納容器１３０は図１乃至図３に示した収納容器３０と実質的に同一である。図９は図６に示すバックライトアセンブリをＩＩＩ−ＩＩＩ’線に沿って切断した断面図である。
【００４９】
図６〜図９を参照すると、発光ダイオード１２１は第１側壁１３３に形成された収容溝１３４に収納される。この際、発光ダイオード１２１は間隔調節部１４０である突起１４０のガイド面１４３に沿って滑り込まされ、突起１４０のキャッチングジョー面１４１に掛止する。突起１４０は光源１２１を第１側面１１３に向かう方向に加圧する。それにより、発光ダイオード（光源）１２１は光ガイドユニット１１０の第１側面１１３により近接する。
【００５０】
図１０は本発明の第２の実施形態によるバックライトアセンブリの斜視図である。図１１は図１０に示すバックライトアセンブリの分解斜視図である。
【００５１】
図１０及び図１１を参照すると、バックライトアセンブリ２００は光ガイドユニット２１０、光発生装置２２０及び収納容器２３０を含む。バックライトアセンブリ２００は収納容器２３０及び光発生装置２２０を除いては図６〜図９に示したバックライトアセンブリ１００と実質的に同一である。
【００５２】
収納容器２３０は底板２３１、第１乃至第４側壁２３３、２３５、２３７、２３９及び間隔調節部２４０を含む。
【００５３】
底板２３１上には光ガイドユニット２１０が配置され、底板２３１の内側には収納容器２３０の重さを減少させるために開口が形成される。第１乃至第４側壁２３３、２３５、２３７、２３９は光ガイドユニット２１０の第１乃至第４側面２１３、２１５、２１７、２１９とそれぞれ向き合うように底板２３１の周辺部に配置される。第１及び第２側壁２３３、２３５は互いに対向するように配置され、第３及び第４側壁２３７、２３９は互いに対向し第１側壁２３３及び第２側壁２３５をそれぞれ連結する。
【００５４】
第１側壁２３３の外側部には、段差部２３２の上部から第１側壁２３３の内側、第１側壁２３３の上端部及び第１側壁２３３の外側に沿って溝が形成される。また、第１側壁２３３の内側部の段差部２３２には光ガイドユニット２１０の第１側面２１３から第１側壁２３３に向かう方向に収容溝２３４が形成される。底板２３１には収容溝２３４に対応する位置に光源用開口が形成される。
【００５５】
図１２は図１１に示す‘Ｂ’領域の拡大図である。図１３は図１０に示すバックライトアセンブリをＩＶ−ＩＶ’線に沿って切断した断面図である。
【００５６】
図１２及び図１３を参照すると、間隔調節部２４０は収容溝２３４の基底部に形成される。間隔調節部２４０は収容溝２３４の基底部から突出された突起２４０である。突起２４０はキャッチングジョー面２４１及びガイド面２４３を含む。
【００５７】
ガイド面２４３はガイド面２３４に沿って上に移動するほど光ガイドユニット２１０の第１側面２１３に近接するように底板２３１に対して傾斜するように形成される。キャッチングジョー面２４１はガイド面２４３の端部から第１側壁２３３方向に形成される。
【００５８】
光発生装置２２０は光ガイドユニット２１０に光を提供する。光発生装置２２０は発光ダイオード２２１及び電源印刷回路フィルム２２５を含む。
【００５９】
電源印刷回路フィルム２２５は光ガイドユニット２１０の第１側面２１３の長さ方向に延長され、一側端部から分枝が出され外部の電源供給部（図示せず）に連結される。発光ダイオード２２１は電源印刷回路フィルム２２５上に実装され、発光ダイオード２２１は光発生部及び外部ケースを含む。
光発生部の電極端子は電源印刷回路フィルム２２５に形成された導電パターンに電気的に連結される。電源印刷回路フィルム２２５が底板２３１の背面に配置されることにより発光ダイオード２２１は底板２３１に形成された光源用開口を通じて収容溝２３４に配置される。
また、他の方法として、電源印刷回路フィルム２２５は発光ダイオード２２１と収納容器２３０の第１側壁２３３との間に位置することもできる。
【００６０】
この際、発光ダイオード２２１はガイド面２４３に沿って滑り込まされ、キャッチングジョー面２４１で掛止される。キャッチングジョー面２４１は発光ダイオード２２１を底板２３１に垂直な方向及び光ガイドユニット２１０の第１側面２１３に垂直な方向に対してその位置を固定させる。
【００６１】
即ち、突起２４０は発光ダイオード２２１が収容溝２３４が挿入される過程で発光ダイオード２２１を光ガイドユニット２１０の第１側面２１３に向かって加圧する。それにより、発光ダイオード２２１と第１側面２１３との間の離隔間隔は設計寸法以下に保持される。
【００６２】
図１４は本発明の第３の実施形態によるバックライトアセンブリの斜視図である。図１５は図１４に示すバックライトアセンブリの分解斜視図である。
【００６３】
図１４及び図１５を参照すると、バックライトアセンブリ３００は光ガイドユニット３１０、光発生装置３２０及び収納容器３３０を含む。バックライトアセンブリ３００は光発生装置３２及び収納容器３３０を除いては図６〜図９に示したバックライトアセンブリ１００と実質的に同一である。
【００６４】
光発生装置３２０は電源印刷回路フィルム３２５及び発光ダイオード３２１を含む。光発生装置３２０は電源印刷回路フィルム３２５を除いては図７に示した光発生装置１２０と実質的に同一である。
【００６５】
電源印刷回路フィルム３２５の背面には３個の発光ダイオード３２１が一列に配置される。電源印刷回路フィルム３２５には発光ダイオード３２１の間に対応する位置にホール３２６が形成される。
【００６６】
収納容器３３０は図４及び図５に示した収納容器５０と実質的に同一である。
【００６７】
図１６は図１４に示すバックライトアセンブリをＶ−Ｖ’線に沿って切断した断面図である。図１７乃至図１９はガイドボスと電源印刷回路フィルムが結合される過程を示す概略断面図である。
【００６８】
図１６を参照すると、電源印刷回路フィルム３２５の背面に実装された発光ダイオード３２１は収納容器３３０の収容溝３３４に配置される。この際、収納容器３３０に形成されたガイドボス３４０は電源印刷回路フィルム３２５に形成されたホール３２６に挿入される。この際、ガイドボス３４０は収納容器３３０の第１乃至第４側壁３３３、３３５、３３７、３３９の内側に形成された段差部３３２のうち、収容溝３３４の間に対応する第１側壁３３３の段差部３３２から突出される。ここで、ガイドボス３４０は第１側壁３３３に向かう方向に傾いて形成される。
【００６９】
従って、図１７に示すように、電源印刷回路フィルム３２５がガイドボス３４０の上部に位置するときより、電源印刷回路フィルム３２５が、図１８及び図１９に示すように、ガイドボス３４０の中央から下部に移動することにより、電源印刷回路フィルム３２５は光ガイドユニット３１０の第１側面３１３に向かって移動する。その結果、電源印刷回路フィルム３２５に実装された発光ダイオード３２１は第１側面３１３により近接に配置される。
【００７０】
図２０は本発明の第４の実施形態によるバックライトアセンブリの分解斜視図である。図２１は図２０に示す‘Ｃ’領域の拡大図である。
【００７１】
図２０及び図２１を参照すると、バックライトアセンブリ５００は光ガイドユニット５１０、光発生装置５２０及び収納容器５３０を含む。バックライトアセンブリ５００は収納容器５３０を除いては図６乃至図９に示したバックライトアセンブリ１００と実質的に同一である。
【００７２】
収納容器５３０は底板５３１、第１乃至第４側壁５３３、５３５、５３７、５３９及び間隔調節部５３４を含む。
【００７３】
底板５３１上には光ガイドユニット５１０が配置される。第１乃至第４側壁５３３、５３５、５３７、５３９はそれぞれ光ガイドユニット５１０の第１乃至第４側面５１３、５１５、５１７、５１９を向き合うように底板５３１の周辺部に配置される。第１乃至第４側壁５３３、５３５、５３７、５３９の内側には段差部５３２が形成される。間隔調節部５３４は段差部５３２のうち第１側壁５３３に対応する段差部５３２に形成される。
【００７４】
本実施形態において、間隔調節部５３４は段差部５３２に形成されたガイド溝５３４である。ガイド溝５３４は、図２１に示すように、光ガイドユニット５１０の第１側面５１３から第１側壁５３３に向かう方向に形成される。ガイド溝５３４の基底面５４１は基底面５４１に沿って発光ダイオード５２１が底板５３１方向に移動するほど第１側面５１３に近接するように底板５３１に対して傾斜するように形成される。
【００７５】
図２２は図２０に示すバックライトアセンブリをＶＩ−ＶＩ’線に沿って切断した断面図である。図２３及び図２４は光源（発光ダイオード）がガイド溝によって収納される過程を示す概略断面図である。
【００７６】
図２２を参照すると、電源印刷回路フィルム５２５に実装された発光ダイオード５２１はガイド溝５３４に配置される。この際、発光ダイオード５２１はガイド溝５３４の基底面５４１に接触する。基底面５４１と接触する発光ダイオード５２１の端部には基底面５４１と面接する傾斜面５２２が形成される。
【００７７】
図２３に示すように、ガイド溝５３４の基底面５４１に接触された発光ダイオード５２１は基底面５４１に沿って滑り込まされ、図２４に示すように底板５３１に停止する。光利用効率を向上させるために光ガイドユニット５１０の第１側面５１３と発光ダイオード５２１との間の離隔間隔を減少させることが望ましい。従って、底板５３１に配置された発光ダイオード５２１は第１側面５１３に接触することが望ましい。
【００７８】
バックライトアセンブリ５００が表示装置に採用される場合、電源印刷回路フィルム５２５上に配置される表示パネルは電源印刷回路フィルム５２５を加圧する。従って、発光ダイオード５２１がガイド溝５３４の基底面５４１に沿って上がってくることが防止され、発光ダイオード５２１は底板５３１、基底面５４１及び第１側面５１３によって拘束され、望ましくは第１側面５１３に接する。
【００７９】
〔表示装置〕
図２５は、本発明の一実施形態による表示装置の斜視図である。図２６は図２５に示す表示装置の分解斜視図である。
【００８０】
図２５及び図２６を参照すると、表示装置８００はバックライトアセンブリ８０５、収納容器８３０及び表示パネル８７０を含む。収納容器８３０はバックライトアセンブリ８０５を収納し、バックライトアセンブリ８０５は表示パネル８７０に光を提供する。
【００８１】
バックライトアセンブリ８０５は光ガイドユニット８１０、発光ダイオード（光源）８２１及び電源印刷回路フィルム８２５を含む。光ガイドユニット８１０、発光ダイオード（光源）８２１及び電源印刷回路フィルム８２５は図６〜図９に示した光ガイドユニット１１０、発光ダイオード（光源）１２１及び電源印刷回路フィルム１２５と実質的に同一である。
【００８２】
収納容器８３０は底板８３１、第１乃至第４側壁８３３、８３５、８３７、８３９及び間隔調節部８４０を含む。収納容器８３０は図７に示した収納容器１３０と実質的に同一である。
【００８３】
光ガイドユニット８１０は底板８３１上に配置され、電源印刷回路フィルム８２５に実装された発光ダイオード（光源）８２１は収納容器８３０の第１側壁８３３内側に形成された収容溝８３４に配置される。この際、発光ダイオード（光源）８２１は収容溝８３４の基底部に形成された突起８４０によって光ガイドユニット８１０の第１側面８１３方向に加圧される。それにより、発光ダイオード（光源）８２１と第１側面８１３と間の離隔間隔は設計寸法以下に保持される。
【００８４】
図２７は図２６に示す表示装置をＶＩＩ−ＶＩＩ’線に沿って切断した断面図である。
【００８５】
図２５〜図２７を参照すると、表示装置８００は光学シート８５０をさらに含む。光学シート８５０は光ガイドユニット８１０の上又は下に配置され光ガイドユニット８１０から出射した光の光学特性、例えば、輝度及び輝度均一性を向上させる。
【００８６】
光学シート８５０は反射シート８１２、拡散シート８５１及び集光シート８５３、８５５を含む。反射シート８１２は光ガイドユニット８１０の対向面に配置され対向面から漏洩する光を光ガイドユニット８１０の出光面８１１方向に反射する。
【００８７】
拡散シート８５１は光ガイドユニット８１０の出光面８１１上に配置され光ガイドユニット８１０から出射された光の輝度を向上させる。集光シート８３５、８５５は拡散シート８５１上に配置され拡散シート８５１から出射された光の輝度均一性を向上させる。
【００８８】
表示パネル８７０は光学シート８５０から出射された光を受け画像を表示する。表示パネル８７０は第１乃至第４側壁８３３、８３５、８３７、８３９に形成された段差部８３２に配置される。表示パネル８７０は第１基板８７１、第２基板８７５、及び液晶層（図示せず）を含む。
【００８９】
第１基板８７１は下部基板及びスイッチング素子を含む。下部基板は透明なガラス基板であり、下部基板上には横方向にゲートラインが形成され、ゲートラインと絶縁され縦方向にデータラインが形成される。ゲートラインとデータラインは画素領域を画定し、画素領域はマトリックス形態に配置される。
【００９０】
スイッチング素子は、例えば、薄膜トランジスタ（図示せず）として画素領域に配置される。各薄膜トランジスタのソース端子にはデータラインが連結され、各薄膜トランジスタのゲート端子にはゲートラインが連結される。また、各薄膜トランジスタのドレイン端子には透明な導電性材質からなる画素電極が連結される。
【００９１】
第２基板８７５は第１基板８７１に一定間隔離隔されて対向配置される。第２基板８７５は上部基板及び色画素を含む。色画素は画素領域に配置された画素電極に対応して上部基板にマトリックス形態に配置される。色画素は光が通過すると所定の色に発現されるＲ、Ｇ、Ｂ色画素を含む。色画素が配置された上部基板の全面には画素電極に対応して透明な導電性材質からなる共通電極が形成される。
【００９２】
薄膜トランジスタのゲート端子にゲート電圧が印加され薄膜トランジスタがターンオンされると、画素電極にデータ電圧が印加され画素電極と共通電極との間には電気場が形成される。このような電気場によって第１基板８７１と第２基板８７５との間に介在する液晶層を構成する液晶の配列が変化する。それにより、発光ダイオード８２１から光学シート８５０を通じて表示パネル８７０に提供される光の透過度が変更され表示パネル８７０は所望する階調の画像を表示する。
【００９３】
表示パネル８７０は信号伝送用フィルム８７３をさらに含む。信号伝送用フィルム８７３は一側端が表示パネル８７０に電気的に連結され、一側端に対向する信号伝送用フィルム８７３の他側端には電源印刷回路フィルム８２５が電気的に連結される。信号伝送用フィルム８７３にはゲート電圧及びデータ電圧のようなパネル駆動信号を制御する駆動チップ８７４が実装される。
【００９４】
尚、本発明は、上述の実施形態に限られるものではない。本発明の技術的範囲から逸脱しない範囲内で多様に変更実施することが可能である。
【図面の簡単な説明】
【００９５】
【図１】本発明の一実施形態による表示装置用収納容器の斜視図である。
【図２】図１に示す‘Ａ’領域の拡大図である。
【図３】図１に示す表示装置用収納容器をＩ−Ｉ’線に沿って切断した断面図である。
【図４】本発明の他の実施形態による表示装置用収納容器の斜視図である。
【図５】図４に示す表示装置用収納容器をＩＩ−ＩＩ’線に沿って切断した断面図である。
【図６】本発明の第１の実施形態によるバックライトアセンブリの斜視図である。
【図７】図６に示すバックライトアセンブリの分解斜視図である。
【図８】図７に示すバックライトアセンブリを他の角度から観察した分解斜視図である。
【図９】図６に示すバックライトアセンブリをＩＩＩ−ＩＩＩ’線に沿って切断した断面図である。
【図１０】本発明の第２の実施形態によるバックライトアセンブリの斜視図である。
【図１１】図１０に示すバックライトアセンブリの分解斜視図である。
【図１２】図１１に示す‘Ｂ’領域の拡大図である。
【図１３】図１０に示すバックライトアセンブリをＩＶ−ＩＶ’線に沿って切断した断面図である。
【図１４】本発明の第３の実施形態によるバックライトアセンブリの斜視図である。
【図１５】図１４に示すバックライトアセンブリの分解斜視図である。
【図１６】図１４に示すバックライトアセンブリをＶ−Ｖ’線に沿って切断した断面図である。
【図１７】ガイドボスと電源印刷回路フィルムが結合される過程を示す概略断面図である。
【図１８】ガイドボスと電源印刷回路フィルムが結合される過程を示す概略断面図である。
【図１９】ガイドボスと電源印刷回路フィルムが結合される過程を示す概略断面図である。
【図２０】本発明の第４の実施形態によるバックライトアセンブリの分解斜視図である。
【図２１】図２０に示す‘Ｃ’領域の拡大図である。
【図２２】図２０に示すバックライトアセンブリをＶＩ−ＶＩ’線に沿って切断した断面図である。
【図２３】光源（発光ダイオード）がガイド溝によって収納される過程を示す概略断面図である。
【図２４】光源（発光ダイオード）がガイド溝によって収納される過程を示す概略断面図である。
【図２５】本発明の一実施形態による表示装置の斜視図である。
【図２６】図２５に示す表示装置の分解斜視図である。
【図２７】図２６に示す表示装置をＶＩＩ−ＶＩＩ’線に沿って切断した断面図である。
【符号の説明】
【００９６】
３０、５０、１３０、２３０、３３０、５３０、８３０    収納容器
３１、５１、１３１、２３１、３３１、５３１、８３１    底板
３２、５２、１３２、２３２、３３２、５３２、８３２    段差部
３３、５３、１３３、２３３、３３３、５３３、８３３    第１側壁
３４、５４、１３４、２３４    収容溝
４０、６０、１４０、２４０、３４０、５３４、８４０    間隔調節部（突起）
４１、１４１、２４１    キャッチングジョー面
４３、１４３、２４３    ガイド面
６０、３４０    ガイドボス（間隔調節部）
１００、２００、３００、５００、８０５    バックライトアセンブリ
１１０、２１０、３１０、５１０、８１０    光ガイドユニット
１１１      出光面
１１３、２１３、３１３、５１３８１３    第１側面
１１４      光拡散パターン
１２０、２２０、３２０、５２０    光発生装置
１２１、２２１、３２１、５２１、８２１    発光ダイオード（光源）
１２５、２２５、３２５、５２５、８２５    電源印刷回路フィルム
５３４        ガイド溝（間隔調節部）
５４１        基底面
８００        表示装置
８５０        光学シート
８７０        表示パネル
８７３        信号伝送用フィルム
【図１】
2007171962.tif 000003
【図２】
2007171962.tif 000004
【図３】
2007171962.tif 000005
【図４】
2007171962.tif 000006
【図５】
2007171962.tif 000007
【図６】
2007171962.tif 000008
【図７】
2007171962.tif 000009
【図８】
2007171962.tif 000010
【図９】
2007171962.tif 000011
【図１０】
2007171962.tif 000012
【図１１】
2007171962.tif 000013
【図１２】
2007171962.tif 000014
【図１３】
2007171962.tif 000015
【図１４】
2007171962.tif 000016
【図１５】
2007171962.tif 000017
【図１６】
2007171962.tif 000018
【図１７】
2007171962.tif 000019
【図１８】
2007171962.tif 000020
【図１９】
2007171962.tif 000021
【図２０】
2007171962.tif 000022
【図２１】
2007171962.tif 000023
【図２２】
2007171962.tif 000024
【図２３】
2007171962.tif 000025
【図２４】
2007171962.tif 000026
【図２５】
2007171962.tif 000027
【図２６】
2007171962.tif 000028
【図２７】
2007171962.tif 000029